(57)【特許請求の範囲】
【請求項１】
エレベーターのロープが巻き掛けられる乗りかご用プーリを軸支するための穴が設けられた底面と、該底面の端部から反プーリ側へ延びる複数の壁面を有するエレベーター用プーリ支持部において、該プーリ支持部は一枚の板を押圧して成形され、その押圧の前後で、前記複数の壁面のうち隣接する壁面が互いに連続状に維持されるとともに、
前記壁面の少なくとも１つに、前記エレベーター用プーリ支持部を前記乗りかごの一部に固定するための穴が設けられ、この穴は、成形前の一枚板に設けられた非円形の穴が成形後に円形となったものであることを特徴とするエレベーター用プーリ支持部。
【請求項２】
エレベーターのロープが巻き掛けられる乗りかご用プーリを軸支するための穴が設けられた底面と、該底面の端部から前記底面と垂直に延びる複数の壁面を有するエレベーター用プーリ支持部において、前記底面と前記複数の壁面とが一体的に成形され、前記複数の壁面のうち隣接する壁面が互いに一体的に成形されることにより、前記プーリ支持部が一枚の板から成形されるとともに、
前記壁面の少なくとも１つに、前記エレベーター用プーリ支持部を前記乗りかごの一部に固定するための穴が設けられ、この穴は、成形前の一枚板に設けられた非円形の穴が成形後に円形となったものであることを特徴とするエレベーター用プーリ支持部。
【請求項３】
請求項１又は２のいずれかにおいて、前記底面の一部が反プーリ側へ突出してリブが形成されていることを特徴とするエレベーター用プーリ支持部。
【請求項４】
請求項１又は２のいずれかにおいて、前記底面及び壁面の板厚が３.２mm以上であることを特徴とするエレベーター用プーリ支持部。
【請求項５】
エレベーターのロープが巻き掛けられる乗りかご用プーリを軸支するための第１の穴が設けられた底面と、該底面の端部から反ロープ側へ延びる複数の壁面を有するエレベーター用プーリ支持部の製造方法において、
前記エレベーター用プーリ支持部を前記乗りかごの一部に固定するための第２の非円形の穴と前記第１の非円形の穴を一枚の板に設けた後、前記複数の壁面のうち隣接する壁面が互いに連続した状態のまま押圧し、前記第１の穴と第２の穴とが円形となるようにしたことを特徴とするエレベーター用プーリ支持部の製造方法。
【発明の詳細な説明】
【技術分野】
【０００１】
本発明は、エレベーターに係り、特に、人あるいは荷物を載せるための乗りかごを構成する部品及びその製造方法に関するものである。
【背景技術】
【０００２】
エレベーターにおいて人や荷物を積載して上昇又は下降する乗りかごを支持するかご枠には、主ロープによって吊ることが可能となるように、転向プーリが設けられている。そして、この転向プーリの軸をかご枠へ取り付けるための部品として、プーリ支持部が用いられている。図１は、従来のプーリ支持部の一例であり、転向プーリを軸支するための第１の穴１２が設けられたプーリ軸取付面１１Ａと、かご枠の一部と固定するための第２の穴１３が設けられたかご枠取付面１１Ｂと、プーリビームと固定するための第３の穴１４が設けられたプーリビーム取付面１１Ｄと、補強材１１Ｃとで構成されている。
【０００３】
ここで、補強材１１Ｃは、プーリ軸取付面１１Ａやかご枠取付面１１Ｂ等とは別体であり、プーリ軸取付面１１Ａやかご枠取付面１１Ｂ等との間は、溶接１６Ａや溶接１６Ｂ等により接合されている。
【０００４】
また、プーリ支持部１１の剛性を向上させる方策、具体的には、互いに略直角であるプーリ軸取付面１１Ａとかご枠取付面１１Ｂとの位置関係の変化を防止する方策として、図２のように中間補強材１５を設けた例もある。この中間補強材１５も、プーリ軸取付面１１Ａやかご枠取付面１１Ｂ等とは別体であり、プーリ軸取付面１１Ａやかご枠取付面１１Ｂ等との間は、溶接２４Ａや溶接２４Ｂ等により接合されている。
【０００５】
【特許文献１】特開平４−３０３３８０号公報（図２，図４等）
【発明の開示】
【発明が解決しようとする課題】
【０００６】
上述の通り、従来のプーリ支持部では、プーリ軸取付面の端部から反転向プーリ側へ延びる複数の壁面の一部が、プーリ軸取付面等とは別体の補強材で形成され、プーリ軸取付面等との間が溶接等により接合されているため、部品点数及び加工工数が増加し、生産効率が低下する。
【０００７】
本発明は、このような点に鑑みてなされたものであり、その目的は、部品点数及び加工工数が少なく生産効率の高いエレベーター及びそのプーリ支持部の製造方法を提供することである。
【課題を解決するための手段】
【０００８】
上記目的を達成するために、本発明は、エレベーターのロープが巻き掛けられる乗りかご用プーリを軸支するための穴が設けられた底面と、該底面の端部から反プーリ側へ延びる複数の壁面を有するエレベーター用プーリ支持部において、該プーリ支持部は一枚の板を押圧して成形され、その押圧の前後で、前記複数の壁面のうち隣接する壁面が互いに連続状に維持されるとともに、前記壁面の少なくとも１つに、前記エレベーター用プーリ支持部を前記乗りかごの一部に固定するための穴が設けられ、この穴は、成形前の一枚板に設けられた非円形の穴が成形後に円形となったものであることを特徴とする。
【発明の効果】
【０００９】
本発明によれば、部品点数及び加工工数が少なく生産効率の高いエレベーター及びそのプーリ支持部の製造方法を提供できる。
【発明を実施するための最良の形態】
【００１０】
以下、本発明の実施形態について、図面に基づいて説明する。
【００１１】
図３は、本発明の第１の実施形態におけるエレベーターの概略構造を示す斜視図である。この図３に示す通り、本実施形態におけるエレベーター５０は、主ロープ５３で懸架された乗りかご５１及び釣合いおもり５２が巻上機５５を介して駆動されるように構成されている。具体的には、乗りかご５１を支持するかご枠６０の下部両端に、後述するプーリ支持部１で軸支された転向プーリ５４（一方のみを示す）が設けられており、この転向プーリ５４に主ロープ５３が巻掛けられて乗りかご５１が懸架されている。一方、釣合いおもり５２の上部には、転向プーリ５７が軸支されており、この転向プーリ５７に主ロープ５３が巻掛けられて釣合いおもり５２が懸架されている。また、乗りかご５１及び釣合いおもり５２は、ガイドシューを介して、それぞれ乗りかご用ガイドレール５８ａ，５８ｂと釣合いおもり用ガイドレール５９ａ，５９ｂに沿って昇降路内を走行する。
【００１２】
ここで、主ロープ５３の巻掛け方について説明する。まず、主ロープ５３の一端は、昇降路内の上部であって釣合いおもり５２の通路より上方の固定手段４２に固定されている。そして、この主ロープ５３は、固定手段４２から下降して、釣合いおもり５２の転向プーリ５７に巻掛けられると反転して上昇に転じ、巻上機５５のトラクションシーブ５６に巻掛けられて再度反転して下降に転じる。その後、主ロープ５３は、かご枠６０下部の一方に設けられた転向プーリ５４に巻掛けられると水平方向に方向転換され、他方の転向プーリ５４に巻掛けられて上昇に転じる。更に、主ロープ５３は、乗りかご用ガイドレール５８ａ最上部の固定手段４３まで上昇し、ここに主ロープ５３の他端が固定される。
【００１３】
次に、図４を用いて、かご枠６０の下部の構成について説明する。図４に示す通り、かご枠６０の構成部品であるかご枠ベース７０は、一対の主ベース７５と、この主ベース７５間に介設される複数の補強ベース７６などから構成されている。そして、転向プーリ５４を軸支するプーリ支持部１が、補強ベース７６に取り付けられている。この他、かご枠ベース７０には、非常止め装置２６が固定され、この非常止め装置２６の下部には、ガイドシュー２１が設置される。
【００１４】
更に、プーリ支持部１の構成について、詳述する。本実施形態のエレベーター用プーリ支持部１は、図４に示すように、転向プーリ５４の回転面に略平行な底面と、この底面の端部から反転向プーリ５４側へ延びる複数の壁面から構成されている。このプーリ支持部１の詳細な構造は、図５に示す通りであり、転向プーリ５４を軸支するための第１の穴２が設けられた底面であるプーリ軸取付面１Ａと、このプーリ軸取付面１Ａに垂直であってかご枠の一部（補強ベース）とボルトやリベットにより固定するための第２の穴３が設けられた壁面であるかご枠取付面１Ｂと、これらプーリ軸取付面１Ａ及びかご枠取付面１Ｂに垂直であって互いに対向する２つの壁面である補強面１Ｃと、プーリ軸取付面１Ａに垂直であってかご枠取付面１Ｂと対向する位置の壁面であるプーリビーム取付面１Ｄを有している。尚、プーリビーム取付面１Ｄは、図示しないプーリビームと固定するために、第３の穴４が設けられている。
【００１５】
ここで、プーリ支持部１の底面を形成するプーリ軸取付面１Ａと、プーリ支持部１の複数の壁面を形成するかご枠取付面１Ｂ，補強面１Ｃ，プーリビーム取付面１Ｄとは、一枚の板を押圧して一体的に成形されている。また、隣接する壁面も互いに連続状となっており、かご枠取付面１Ｂと補強面１Ｃの間や、プーリビーム取付面１Ｄと補強面１Ｃの間は、溶接等を施すことなく、互いに一体的に成形されている。
【００１６】
更に、かご枠取付面１Ｂ，補強面１Ｃ及びプーリビーム取付面１Ｄとは、略同一の高さ寸法で連続して成形されており、その高さ寸法は略５０mmに設定されている。また、プーリ支持部１の板厚寸法は略４.５mm、プーリ軸取付面１Ａとかご枠取付面１Ｂとの境目箇所におけるコーナー半径Ｒ１は例えば外側で略５mm、かご枠取付面１Ｂと補強面１Ｃとの境目箇所におけるコーナー半径Ｒ２は例えば外側で略１５mmに、それぞれ設定されている。
【００１７】
尚、かご枠６０は、通常、乗りかご用ガイドレール５８ａ，５８ｂに沿って滑らかに可動するものであるが、人や荷物の乗りかご５１への積載時に生じる負荷荷重や、乗りかご５１内における人や荷物の積載位置の違いに起因して生じる偏荷重、更には地震に起因して生じる荷重により、かご枠６０に大きな負荷が作用することがある。そこで、プーリ支持部の剛性を確保するため、板厚寸法を増加させる方法も考えられるが、その場合は材料費の高額化や機器の重量化を招くため、本実施形態では、補強面１Ｃを一体的に成形することにより剛性を向上させている。
【００１８】
次に、図６に基づいて、プーリ支持部１の成形方法を説明する。まず、図６の（ａ）に示すようにパンチ６３，ダイ６１及びダイクッション６２などで構成されるダイセットに、ブランク１０をセットする。次いで、（ｂ）に示すようにダイ６１とダイクッション６２でブランク１０を挟み込みながらパンチ６３にブランク１０を倣わせる。最後に、（ｃ）のようにダイ６１とパンチ６３によりブランク１０を絞り込んだ後、大きな荷重を加えることで、一体構造のプーリ支持部１を成形する。
【００１９】
図７に、このプーリ支持部１を成形するための加工力とストロークの関係を示す。加工力−ストローク線図７１は、最初ストロークが増加するに伴い、加工力も増加するが、ブランク１０が絞り込まれ始めた時点６６で加工力は減少し、最後に成形形状を整えるために大きな加工力６５を付加している。
【００２０】
図８は、プーリ支持部１の他の成形方法を示ものである。図８の（ａ）に示すようにパンチ６３，ダイ６１，ダイクッション６２及び抑え板６４で構成されるダイセットに、ブランク１０をセットする。このとき、ブランク１０は抑え板６４とパンチ６３で常に挟まれていて、変形が拘束されている。これにより、プーリ軸取付面１Ａの平坦度を高精度に確保することができる。このような状態で、図６と同様、（ｂ）に示すようにダイ６１とダイクッション６２でブランク１０を挟み込みながらパンチ６３にブランク１０を倣わせる。そして最後に、（ｃ）のようにダイ６１とパンチ６３によりブランク１０を絞り込んだ後、大きな荷重を加えることで、一体構造のプーリ支持部１を成形する。
【００２１】
上述の通り、本実施形態のプーリ支持部１は、１枚の板を押圧することにより、プーリ軸取付面１Ａ，かご枠取付面１Ｂ，補強面１Ｃ及びプーリビーム取付面１Ｄとが成形され、しかも、その押圧の前後でこれら取付面が連続状に維持されている。このため、従来のように別体の補強材を溶接等で接合しなくても、プーリ支持部１に必要な剛性が確保できると共に、部品点数及び加工工数を少なくすることが可能となり、結果的に、プーリ支持部１の製作時間，製作コスト及び重量の低減が図られ、生産効率の高いエレベーターの実現にもつながる。
【００２２】
ところで、プーリ支持部１の板厚寸法が大きくなるほど、或いは、補強面１Ｃ等の高さ寸法が大きくなるほど、剛性が高くなる一方、成形に必要な力が大きくなる。そこで、プーリ支持部１の板厚寸法を３.２mm以上、望ましくは４.２mm〜４.５mm、補強面１Ｃ等の高さ寸法を１０mm以上、望ましくは４５〜５５mm、にそれぞれ設定すれば、必要な剛性を確保しつつ、プーリ支持部１の成形を容易なものとすることができる。
【００２３】
図９は、一体構造のプーリ支持部１を成形するためのブランク１０を示している。このブランク１０のコーナー半径Ｒを変化させたときに、出来上がるプーリ支持部１の各箇所の高さを示したのが、図１０である。尚、図１１は、ブランク１０のコーナー半径Ｒがある所定の値の場合における、プーリ支持部１の成形品を示すものである。これら図９及び図１０において、３３はかご枠取付面１Ｂの高さ、３１は補強面１Ｃの高さ、３２はかご枠取付面１Ｂと補強面１Ｃとの境目箇所におけるコーナー部高さをそれぞれ表している。そして、図１０によれば、ブランク１０のコーナー半径Ｒは、コーナー部高さ３２に影響を与えていることが分かる。
【００２４】
また、図１２は、ブランク１０のコーナー半径Ｒとコーナー部高さ３２との関係を示している。この図１２から分かるように、ブランク１０のコーナー半径Ｒとコーナー部高さ３２との間には、略比例の関係がみられる。したがって、一体構造のプーリ支持部１を形成する壁面の高さ、すなわち、かご枠取付面１Ｂ，補強面１Ｃ及びプーリビーム取付面１Ｄの高さを略均一にするためには、ブランク１０のコーナー半径Ｒの適正化が必要である。例えば、かご枠取付面１Ｂ等の高さを略５０mmに均一化しようとする場合は、ブランク１０のコーナー半径Ｒを略１００mmにすることになる。
【００２５】
更に、転向プーリ５４を軸支するための第１の穴２，かご枠６０の一部に固定するための第２の穴３，プーリビームと固定するための第３の穴４は、ブランク１０の押圧成形前は、図９のように非円形となっており、押圧変形後に、図４のように円形となるように設定されている。実際には、一枚板の押圧成形に伴う穴の変形を考慮して、例えばＦＥＭ解析を用いた変形予測により予め穴形状を決定し、押圧成形前に、パンチングやレーザーカットにより非円形の穴をブランク１０に形成している。
【００２６】
次に、本発明の第２の実施形態におけるプーリ支持部１００の構成を、図１３を用いて説明する。本実施形態のプーリ支持部１００は、図１３に示す通り、プーリ支持部１００の底面の一部、具体的にはプーリ軸取付面１Ａの２つの穴の間に、補強面１Ｃと略平行であって反転向プーリ５４側へ突出するリブ５が設けられている。このリブ５は、プーリ軸取付面１Ａに別途取り付けられたものではなく、プーリ軸取付面１Ａと一体であり、例えば、幅５Ａ３０mm，高さ５Ｂ２０mmに設定されている。このように、凸形状のリブ５を備えることにより、大きな負荷に対応可能なプーリ支持部１００が実現できる。
【００２７】
図１４は、本実施形態におけるプーリ支持部１００を成形するときの金型構造を１／４モデルで示した図である。この図１４の通り、本実施形態のプーリ支持部１００は、中央に凸部９１Ａを有するダイ９１と、中央に凹部９３Ａを有するパンチ９３と、ダイクッション９２とで構成されるダイセットを用いて成形される。まず、ダイ９１とダイクッション９２によりブランク１０を挟み込み、パンチ９３にブランク１０を倣わせることで、ブランク１０を絞り込みながら、最後に凸形状のリブ５を成形することで、プーリ支持部１００を成形する。
【００２８】
また、上述の工程の如く、リブ５の成形とプーリ支持部１００の成形を１つの工程の中で行う以外に、それぞれの成形の工程を独立させる方法も考えられる。例えば、平板状のブランク１０に凸形状のリブ５を成形した後、次工程として、図１１及び図１３に示すような工程によりプーリ支持部１００を最終的に成形しても良い。
【図面の簡単な説明】
【００２９】
【図１】従来のプーリ支持部の一例を示す斜視図である。
【図２】従来のプーリ支持部の別の一例を示す斜視図である。
【図３】本発明の第１の実施形態におけるエレベーターの概略構造を示す斜視図である。
【図４】本発明の第１の実施形態におけるかご枠の下部付近を拡大した斜視図である。
【図５】本発明の第１の実施形態におけるプーリ支持部を示す斜視図である。
【図６】本発明の第１の実施形態におけるプーリ支持部の成形方法を説明する要部断面図である。
【図７】プーリ支持部を成形するための加工力とストロークの関係を示す図である。
【図８】本発明の第１の実施形態におけるプーリ支持部の別の成形方法を説明する要部断面図である。
【図９】プーリ支持部を成形するためのブランクを示す平面図である。
【図１０】ブランクのコーナー半径と成形高さとの関係を示す図である。
【図１１】ブランクのコーナー半径が所定の値の場合におけるプーリ支持部の成形品を示す図である。
【図１２】ブランクのコーナー半径とコーナー部高さとの関係をします図である。
【図１３】本発明の第２の実施形態におけるプーリ支持部を示す斜視図である。
【図１４】本発明の第２の実施形態におけるプーリ支持部を成形するときの金型構造を１／４モデルで示した図である。
【符号の説明】
【００３０】
１，１１，１００  プーリ支持部
１Ａ，１１Ａ  プーリ軸取付面
１Ｂ，１１Ｂ  かご枠取付面
１Ｃ  補強面
１Ｄ，１１Ｄ  プーリビーム取付面
２，１２  第１の穴
３，１３  第２の穴
４，１４  第３の穴
５  リブ
１０  ブランク
１１Ｃ  補強材
１５  中間補強材
１６Ａ，１６Ｂ，２４Ａ，２４Ｂ  溶接
２１  ガイドシュー
２６  非常止め装置
３１  補強面の高さ
３２  かご枠取付面と補強面との境目箇所におけるコーナー部高さ
３３  かご枠取付面の高さ
４２，４３  固定手段
５０  エレベーター
５１  乗りかご
５２  釣合いおもり
５３  主ロープ
５４，５７  転向プーリ
５５  巻上機
５６  トラクションシーブ
５８ａ，５８ｂ  乗りかご用ガイドレール
５９ａ，５９ｂ  釣合いおもり用ガイドレール
６０  かご枠
６１，９１  ダイ
６２，９２  ダイクッション
６３，９３  パンチ
６４  抑え板
７０  かご枠ベース
７５  主ベース
７６  補強ベース
【図１】
0005174472.tif 000002
【図２】
0005174472.tif 000003
【図３】
0005174472.tif 000004
【図４】
0005174472.tif 000005
【図５】
0005174472.tif 000006
【図６】
0005174472.tif 000007
【図７】
0005174472.tif 000008
【図８】
0005174472.tif 000009
【図９】
0005174472.tif 000010
【図１０】
0005174472.tif 000011
【図１１】
0005174472.tif 000012
【図１２】
0005174472.tif 000013
【図１３】
0005174472.tif 000014
【図１４】
0005174472.tif 000015